(57)【要約】【課題】  複数組の合体コネクタを小さいスペース内で収容でき、しかも、複数組の合体コネクタの収容・取り出し作業が容易である電気接続箱を提供する。【解決手段】  ケース本体３内に各ワイヤーハーネスＷＨ１，ＷＨ２の第１及び第２コネクタ２１ａ〜ｃ，２２ａ〜ｃを収容し、第１及び第２コネクタ２１ａ〜ｃ，２２ａ〜ｃを合体させ、この合体コネクタ２１ａ〜ｃ，２２ａ〜ｃをケース本体３に固定する電気接続箱であって、ケース本体３の内壁にはスライドレール部１６を設け、スライドレール部１６にスライド自在で、且つスライド方向に沿って複数のコネクタ固定部を有するコネクタ保持プレート１７を設け、複数のコネクタ固定部に合体コネクタ２１ａ〜ｃ，２２ａ〜ｃをそれぞれ固定し、コネクタ保持プレート１７をスライドレール部１６に沿ってケース本体３内にスライド挿入することによって合体コネクタ２１ａ〜ｃ，２２ａ〜ｃをケース本体３に固定した。【選択図】      図３
2006121878.tif 000002
【特許請求の範囲】
【請求項１】
ケース内に各ワイヤーハーネスの端部に接続された第１及び第２コネクタをそれぞれ収容し、この第１及び第２コネクタを合体させ、この合体させた第１及び第２コネクタを前記ケースに固定する電気接続箱であって、
前記ケースの内壁には前記ワイヤーハーネスの配索方向の直交方向に沿ってスライドレール部を設け、このスライドレール部にスライド自在で、且つ、スライド方向に沿って複数のコネクタ固定部を有するコネクタ保持プレートを設け、
複数の前記コネクタ固定部に合体させた第１及び第２コネクタをそれぞれ固定し、前記コネクタ保持プレートを前記スライドレール部に沿って前記ケース内にスライド挿入することによって合体させた前記第１及び第２コネクタを前記ケースに固定したことを特徴とする電気接続箱。
【請求項２】
請求項１記載の電気接続箱であって、
前記コネクタ保持プレートをスライド完了位置で前記ケースにロックするプレートロック手段を設け、前記プレートロック手段は、前記ケースの開口近傍位置でロックされる位置に設けられたことを特徴とする電気接続箱。
【請求項３】
請求項１又は請求項２記載の電気接続箱であって、
前記コネクタ保持プレートに固定される複数組の合体させた第１及び第２コネクタは、スライド挿入方向の後端側から先端側に向かって高さが低くなるよう配置したことを特徴とする電気接続箱。
【請求項４】
請求項１〜請求項３のいずれか１項記載の電気接続箱であって、
前記ケースの底部には、孔を設けないことを特徴とする電気接続箱。
【発明の詳細な説明】
【技術分野】
【０００１】
本発明は、ワイヤーハーネス間の中継等に使用される双方のコネクタを合体し、この合体させた双方のコネクタをケース内に固定する電気接続箱に関する。
【背景技術】
【０００２】
この種の従来の電気接続箱として、図６及び図７に示す特許文献１に開示されたものがある。この電気接続箱１００は、図６及び図７に示すように、ケース１０１を有し、ケース１０１はアンダーケース１０２とこれの上面に組み付けされるアッパーケース１０３とから構成される。アッパーケース１０２の内部にはコネクタ部（図示せず）が適所に固定されている。アンダーケース１０３の内部には、４本の係止アーム１０４ａからなるコネクタ固定部１０４が設けられている。又、アンダーケース１０３の対向する側壁にはハーネス出入口１０５がそれぞれ設けられている。
【０００３】
第１のワイヤーハーネスＷＨ１は、その端部で２本に分岐され、各分岐の端部に第１コネクタ１０６ａ，１０６ｂがそれぞれ接続されている。第２のワイヤーハーネスＷＨ２は、その端部で３本に分岐され、その分岐の各端部に第２コネクタ１０７ａ〜１０７ｃがそれぞれ接続されている。
【０００４】
これら第１及び第２コネクタ１０６ａ，１０６ｂ，１０７ａ〜１０７ｃは、第１及び第２のワイヤーハーネスＷＨ１，ＷＨ２の端部が各ハーネス入出口１０５よりケース１０１内に挿入されることによってケース１０１内に導かれている。ケース１０１内に導かれた第１及び第２コネクタ１０６ｂ，１０７ｂ，１０７ｃはアッパーケース１０２側のコネクタ部（図示せず）に接続されている。又、ケース１０１内に導かれた１組の第１及び第２コネクタ１０６ａ，１０７ａは合体され、合体された第１及び第２コネクタ（以下、「合体コネクタ」という）１０６ａ，１０７ａがコネクタ固定部１０４に固定されている。
【０００５】
つまり、アッパーケース１０２側のコネクタ部（図示せず）に装着される第１及び第２コネクタ１０６ｂ，１０７ｂ，１０７ｃは、コネクタ合体の嵌合力によってケース１０１に固定されるが、ワイヤーハーネスＷＨ１，ＷＨ２間を中継する合体コネクタ１０６ａ，１０７ａは、コネクタ合体によってはケース１０１に固定されないため、コネクタ固定部１０４を介してケース１０１に固定するようにしたものである。これにより、ワイヤーハーネスＷＨ１，ＷＨ２間を中継する合体コネクタ１０６ａ，１０７ａが外部振動等によってケース１０１内を移動等しないようにしている。
【特許文献１】実開昭６３−９０９２０号公報
【発明の開示】
【発明が解決しようとする課題】
【０００６】
しかしながら、前記従来の電気接続箱１００では、ワイヤーハーネス中継用等の合体コネクタ１０６ａ，１０７ａの組が複数あると、その組数分のコネクタ固定部１０４をアンダーケース１０３に設ける必要があるため、大きなスペースを確保する必要がある。又、ワイヤーハーネス中継用等の合体コネクタ１０６ａ，１０７ａの組が複数あると、その組数分だけ装着作業を行わなければならず、取り出す時には各コネクタ固定部１０４のロックを解除する必要があるため、取り出し作業も面倒である。
【０００７】
そこで、本発明は、前記した課題を解決すべくなされたものであり、複数組の合体コネクタを小さいスペース内で収容でき、しかも、複数組の合体コネクタの収容・取り出し作業が容易である電気接続箱を提供することを目的とする。
【課題を解決するための手段】
【０００８】
請求項１の発明は、ケース内に各ワイヤーハーネスの端部に接続された第１及び第２コネクタをそれぞれ収容し、この第１及び第２コネクタを合体させ、この合体させた第１及び第２コネクタを前記ケースに固定する電気接続箱であって、前記ケースの内壁には前記ワイヤーハーネスの配索方向の直交方向に沿ってスライドレール部を設け、このスライドレール部にスライド自在で、且つ、スライド方向に沿って複数のコネクタ固定部を有するコネクタ保持プレートを設け、複数の前記コネクタ固定部に合体させた前記第１及び第２コネクタをそれぞれ固定し、前記コネクタ保持プレートを前記スライドレール部に沿って前記ケース内にスライド挿入することによって合体させた前記第１及び第２コネクタを前記ケースに固定したことを特徴とする。
【０００９】
請求項２の発明は、請求項１記載の電気接続箱であって、前記コネクタ保持プレートをスライド完了位置で前記ケースにロックするプレートロック手段を設け、前記プレートロック手段は、前記ケースの開口近傍位置でロックされる位置に設けられたことを特徴とする。
【００１０】
請求項３の発明は、請求項１又は請求項２記載の電気接続箱であって、前記コネクタ保持プレートに固定される複数組の合体させた第１及び第２コネクタは、スライド方向の後端側から先端側に向かって高さが低くなるよう配置したことを特徴とする。
【００１１】
請求項４の発明は、請求項１〜請求項３のいずれか１項記載の電気接続箱であって、前記ケースの底部には、孔を設けないことを特徴とする。
【発明の効果】
【００１２】
請求項１の発明によれば、複数組の合体させた第１及び第２コネクタ（以下、「合体コネクタ」という。）を固定したコネクタ保持プレートをスライドレール部に沿ってスライドさせることによって複数組の合体コネクタをケース内に固定できる。又、コネクタ保持プレートをスライドレール部に沿って引き抜くことにより合体コネクタとこれらに接続されたワイヤーハーネスの端部をケース外に引き出すことができる。以上より、複数組の合体コネクタを小さなスペース内で収容でき、しかも、コネクタ保持プレートをスライド操作することにより複数組の合体コネクタを同時に収容したり、引き出したりできるため、複数組の合体コネクタの収容・取り出し作業が容易である。
【００１３】
請求項２の発明によれば、請求項１の発明の効果に加え、作業者はプレートロック手段の位置に容易に手が届くため、プレートロック手段の解除作業を容易にできる。
【００１４】
請求項３の発明によれば、請求項１又は請求項２の発明の効果に加え、コネクタ保持プレートの引き抜き過程にあって、隣接する合体コネクタ間の段差にワイヤーハーネス等が引っ掛かって引き抜き作業が妨げられることがないため、コネクタ保持プレートの引き抜き作業を容易にできる。
【００１５】
請求項４の発明によれば、請求項１〜請求項３の発明の効果に加え、ケース内への水の侵入を極力防止できる。
【発明を実施するための最良の形態】
【００１６】
以下、本発明の一実施形態を図面に基づいて説明する。
【００１７】
図１〜図５は本発明の一実施形態を示し、図１は電気接続箱１の分解斜視図、図２はケース２の分解斜視図、図３は電気接続箱１の要部斜視図、図４は合体コネクタの収容状態を示す平面図、図５はコネクタ保持プレート１７の斜視図である。
【００１８】
電気接続箱１は、図１及び図２に示すように、内部への水の侵入を防止するよう水密構造に形成されたケース２を有する。このケース２は、上面が開口されたケース本体３とこのケース本体３の上面を塞ぐように組み付けされる第１カバー４及び第２カバー５とから構成されている。
【００１９】
ケース本体３の内部は、仕切壁６によって２つの部品収容室７ａ，７ｂに大まかに仕切られており、各部品収容室７ａ，７ｂにはリレーブロック体８，（図示せず）等がそれぞれ収容されている。２つの部品収容室７ａ，７ｂは連通路９を介して連通されており、この連通路９を利用して２つの部品収容室７ａ，７ｂ間に亘って第２ワイヤーハーネスＷＨ２等が配索されている。
【００２０】
ケース本体３の側壁には、上端が開口されたハーネス用切欠溝１０，１１が２箇所に形成されており、この各ハーネス用切欠溝１０，１１には止水カバー１２，１３が上方からスライドによってそれぞれ装着できるようになっている。各止水カバー１２，１３が装着されることによって、止水カバー１２，１３で閉塞されない各ハーネス用切欠溝１０，１１によって第１及び第２ワイヤーハーネスＷＨ１，ＷＨ２を通すハーネス出入口１４ａ，１４ｂ，１５ａ，１５ｂがそれぞれ形成される。各ハーネス出入口１４ａ，１４ｂ，１５，１５ｂは、配索される第１及び第２ワイヤーハーネスＷＨ１，ＷＨ２の各断面寸法に相当する寸法に設定され、各ハーネス出入口１４ａ，１４ｂ，１５ａ，１５ｂと第１及び第２ワイヤーハーネスＷＨ１，ＷＨ２間の隙間から水が浸入しないようになっている。
【００２１】
ケース本体３の内壁には、図３及び図４に詳しく示すように、第１及び第２ワイヤーハーネスＷＨ１，ＷＨ２の配索方向の直交方向、換言すれば、ケース開口側からケース奥側に向かって下方に延びる一対のスライドレール部１６が設けられている。この一対のスライドレール部１６にはコネクタ保持プレート１７がスライド自在に設けられている。
【００２２】
コネクタ保持プレート１７は、図３〜図５に詳しく示すように、細長いプレート形状を有し、その１面にはスライド方向に沿って３つのコネクタ固定部１８が設けられている。この各コネクタ固定部１８は弾性係止部１８ａと左右一致の嵌合ガイド板１８ｂとから構成され、コネクタ保持プレート１７の面に沿って下記する第２コネクタ２２ａ，２２ｂ，２２ｃをスライドすることによって固定されている。コネクタ保持プレート１７に固定される３つの第２コネクタ２２ａ，２２ｂ，２２ｃは、コネクタ保持プレート１７のスライド挿入方向Ａの後端側と中央側が同じ高さのものが先端側がこれより低いものが配置されている。つまり、スライド挿入方向Ａの後端側から先端側に向かって高さが低くなるよう配置され、中央側の第２コネクタ２２ｂと先端側の第２コネクタ２２ａとの間に段差Ｄが形成される。
【００２３】
プレートロック手段２０は、スライドレール部１６のケース本体３の開口近傍位置に設けられた被係止部２０ａと、コネクタ保持プレート部１７のスライド方向の後端位置に設けられた弾性係止部２０ｂとから構成されている。つまり、プレートロック手段２０は、ケース本体３の開口近傍位置でロックされる位置に設けられている。プレートロック手段２０は、コネクタ保持プレート１７のスライド完了位置でコネクタ保持プレート１７のスライド移動をロックする。
【００２４】
又、ケース本体３の底部には孔が設けられていない。
【００２５】
複数本の第１ワイヤーハーネスＷＨ１の端部には１以上の第１コネクタ２１ａ，２１ｂ，２１ｃがそれぞれ接続されている。この第１コネクタ２１ａ，２１ｂ，２１ｃは、第１ワイヤーハーネスＷＨ１の端部がハーネス出入口１４ａ，１４ｂを介してケース２内に導かれることによってケース２内に収容されている。この収容された内の３個の第１コネクタ２１ａ，２１ｂ，２１ｃはワイヤーハーネス中継用として各第２コネクタ２ａ，２２ｂ，２２ｃにそれぞれ合体されている。他の第１コネクタ（図示せず）は、リレーブロック体８等に一体に設けられたコネクタ部（図示せず）に合体されている。
【００２６】
複数本の第２ワイヤーハーネスＷＨ２の端部には１以上の第２コネクタ２２ａ，２２ｂ，２２ｃがそれぞれ接続されている。この第２コネクタ２２ａ，２２ｂ，２２ｃは、第２ワイヤーハーネスＷＨ１の端部がハーネス出入口１５ａ，１５ｂを介してケース２内に導かれることによってケース２内に収容されている。この収容された内の３個の第２コネクタ２２ａ，２２ｂ，２２ｃは、コネクタ保持プレート１７側の面に被係止部（図示せず）を有し、この被係止部（図示せず）がコネクタ固定部１８に係止されることによってコネクタ保持プレート１７にそれぞれ固定されている。そして、各第２コネクタ２２ａ，２２ｂ，２２ｃには、上述したように、ワイヤーハーネス中継用の各第１コネクタ２１ａ，２１ｂ，２１ｃに合体されている。他の第２コネクタ（図示せず）は、リレーブロック体（図示せず）等に一体に設けられたコネクタ部（図示せず）に合体されている。
【００２７】
次に、電気接続箱１内への第１及び第２コネクタ２１ａ，２１ｂ，２１ｃ，２２ａ，２２ｂ，２２ｃの収容作業及び収容された第１及び第２コネクタ２１ａ，２１ｂ，２１ｃ，２２ａ，２２ｂ，２２ｃの収容作業を説明する。
【００２８】
先ず、コネクタ保持プレート１７の各コネクタ固定部１８に第２コネクタ２２ａ，２２ｂ，２２ｃをそれぞれ固定する。各第２コネクタ２２ａ，２２ｂ，２２ｃの固定位置は、上述したように高さを基準に所定の位置に固定する。次に、各第２コネクタ２２ａ，２２ｂ，２２ｃにそれぞれ対応する第１コネクタ２１ａ，２１ｂ，２１ｃを合体する。
【００２９】
次に、コネクタ保持プレート部１７のスライド先端をスライドレール部１６の上端に係合し、係合したコネクタ保持プレート１７をスライドレール部１６に沿ってスライドさせケース本体３の奥側に挿入する。そして、コネクタ保持プレート１７がプレートロック手段２０によってロックすれば完了する。又、他の第１及び第２コネクタ（図示せず）をリレーブロック８等のコネクタ部（図示せず）に合体させる。
【００３０】
以上により、複数組の合体された第１及び第２コネクタ（以下、合体コネクタ）２１ａ，２１ｂ，２１ｃ，２２ａ，２ｂ，２２ｃは、ケース本体３に固定される。このようなコネクタの固定作業後に、第１及び第２ワイヤーハーネスＷＨ１，ＷＨ２をハーネス用切欠溝１０，１１の下方に位置決めし、ハーネス用切欠溝１０，１１に止水カバー１２，１３をスライド装着すれば、第１及び第２ワイヤーハーネスＷＨ１，ＷＨ２がハーネス出入口１４ａ，１４ｂ，１５ａ，１５ｂ内に配置される。最後に、第１及び第２カバー４，５をケース本体３の上面に組み付ければ良い。
【００３１】
又、電気接続箱１内から合体コネクタ２１ａ，２１ｂ，２１ｃ，２２ａ，２２ｂ，２２ｃを取り出すには、第１及び第２カバー４，５をケース本体３より取り外す。次に、止水カバー１２，１３をケース本体３の上方に若干移動し、又は、ケース本体３より取り外す。次に、プレートロック手段２０を解除してコネクタ保持プレート１７をスライドレール部１６に沿って引き抜く。すると、コネクタ保持プレート１７と共に合体コネクタ２１ａ，２１ｂ，２１ｃ，２２ａ，２２ｂ，２２ｃがケース本体３外に引き出される。又、第１及び第２ワイヤーハーネスＷＨ１，ＷＨ２の端部も同様にして引き出される。以上より、３組の合体コネクタ２１ａ，２１ｂ，２１ｃ，２２ａ，２２ｂ，２２ｃをケース２内の小さいスペースで収容できる。又、３組の合体コネクタ２１ａ，２１ｂ，２１ｃ，２２ａ，２２ｂ，２２ｃの収容・取り出し作業が容易にできる。
【００３２】
この実施形態では、プレートロック手段２０は、ケース本体３の開口近傍位置に設けられたので、作業者はプレートロック手段２０の位置に容易に手が届くため、プレートロック手段２０の解除作業を容易にできる。
【００３３】
この実施形態では、コネクタ保持プレート１７に固定された３組の合体コネクタ２１ａ，２１ｂ，２１ｃ，２２ａ，２２ｂ，２２ｃは、スライド挿入方向Ａの後端側から先端側に向かって高さが低くなるよう配置したので、コネクタ保持プレート１７の引き抜き過程にあって、隣接する合体コネクタ２１ａ，２１ｂ，２１ｃ，２２ａ，２２ｂ，２２ｃ間の段差に第１及び第２ワイヤーハーネスＷＨ１，ＷＨ２等が引っ掛かって引き抜き作業が妨げられることがないため、コネクタ保持プレート１７の引き抜き作業を容易にできる。
【００３４】
この実施形態では、ケース本体３の底部には、孔を設けていないので、ケース２内への水の侵入を極力防止できる。
【００３５】
尚、前記実施形態によれば、コネクタ保持プレート１７には３つのコネクタ固定部１８を設けたが、コネクタ固定部１８の個数は２つでも、４つ以上でも良い。
【図面の簡単な説明】
【００３６】
【図１】本発明の一実施形態を示し、電気接続箱の分解斜視図である。
【図２】本発明の一実施形態を示し、ケースの分解斜視図である。
【図３】本発明の一実施形態を示し、電気接続箱の要部斜視図である。
【図４】本発明の一実施形態を示し、コネクタの収容状態を示す平面図である。
【図５】本発明の一実施形態を示し、コネクタ保持プレートの斜視図である。
【図６】従来例の電気接続箱の分解斜視図である。
【図７】従来例の電気接続箱の断面図である。
【符号の説明】
【００３７】
１  電気接続箱
３  ケース本体（ケース）
１６  スライドレール部
１７  コネクタ保持プレート
１８  コネクタ固定部
２１ａ〜２１ｃ  第１コネクタ
２２ａ〜２２ｃ  第２コネクタ
ＷＨ１  第１ワイヤーハーネス
ＷＨ２  第２ワイヤーハーネス
Ａ  スライド挿入方向
【図１】
2006121878.tif 000003
【図２】
2006121878.tif 000004
【図３】
2006121878.tif 000005
【図４】
2006121878.tif 000006
【図５】
2006121878.tif 000007
【図６】
2006121878.tif 000008
【図７】
2006121878.tif 000009